(57)【要約】      （修正有）【課題】コイル状物を包装する作業効率を向上させることができ、合成樹脂製クロスと合成樹脂製シートとの間に隙間が生じるおそれや、該クロスとシートとが相互に位置ずれするおそれが少ないコイル状物の包装用シートを提供する。【解決手段】一方の合成樹脂製シート２と他方の合成樹脂製シート３との間に合成樹脂製クロス４が介装され、一方の合成樹脂製シート２の両側端部と他方の合成樹脂製シート３の両側端部は、合成樹脂製クロス４の両側端部よりも延長されて延長部５、６として形成され、少なくとも一方の合成樹脂製シート２と合成樹脂製クロス４とが貼着されるとともに、一方の合成樹脂製シート２の延長部５と他方の合成樹脂製シート３の延長部６とが貼着されることにより、合成樹脂製クロス４が一方の合成樹脂製シート２と他方の合成樹脂製シート３との間に一体的に挟着されている。【選択図】図２
0003205369.tif 000002
【実用新案登録請求の範囲】
【請求項１】
一方の合成樹脂製シート（２）と他方の合成樹脂製シート（３）との間に合成樹脂製クロス（４）が介装され、前記一方の合成樹脂製シート（２）の両側端部と他方の合成樹脂製シート（３）の両側端部は、前記合成樹脂製クロス（４）の両側端部よりも延長されて延長部（５）、（６）として形成され、少なくとも一方の合成樹脂製シートと合成樹脂製クロス（４）とが貼着されるとともに、前記一方の合成樹脂製シート（２）の延長部（５）と他方の合成樹脂製シート（３）の延長部（６）とが貼着されることにより、前記合成樹脂製クロス（４）が前記一方の合成樹脂製シート（２）と他方の合成樹脂製シート（３）との間に一体的に挟着されていることを特徴とするコイル状物の包装用シート。
【請求項２】
前記一方の合成樹脂製シート（２）の、前記他方の合成樹脂製シート（３）と対面する内面側（２ａ）が、粘着性を有している請求項１記載のコイル状物の包装用シート。
【請求項３】
前記他方の合成樹脂製シート（３）の、被包装物であるコイル状物と対面する外面側（３ｂ）が、粘着性を有している請求項１又は２記載のコイル状物の包装用シート。
【考案の詳細な説明】
【技術分野】
【０００１】
本考案はコイル状物の包装用シート、さらに詳しくは、金属製の線材や鉄板等がコイル状に巻回された鋼製品等のコイル状物を包装するために使用される包装用シートに関する。
【背景技術】
【０００２】
従来、この種の金属製の線材や鉄板等のコイル状物は、錆の発生や結露の発生を防止する観点から、防水性を維持させるべく、合成樹脂製シートによって包装されている。また、合成樹脂製シートのみでは強度の維持が十分ではないことから、合成樹脂製クロスによっても包装されている。しかし、従来では、合成樹脂製シートと合成樹脂製クロスとがコイル状物に別々に巻装されて包装されていたので、合成樹脂製シートを巻装する工程と、合成樹脂製クロスを巻装する工程との２工程が必要となり、コイル状物を包装する作業効率が良好であるとはいえなかった。
【０００３】
このような点に鑑み、作業効率を向上させるために、予め合成樹脂製クロスに合成樹脂製シートを貼着した１枚の包装用シートでコイル状物を包装することも行われている。
【０００４】
しかし、このような包装用シートは、単に合成樹脂製クロスに合成樹脂製シートを貼着したにすぎないものであるので、合成樹脂製クロスと合成樹脂製シートとの間に隙間が生じるおそれがあり、また合成樹脂製クロスと合成樹脂製シートとが相互に位置ずれするおそれがある。
【考案の概要】
【考案が解決しようとする課題】
【０００５】
本考案は、このような問題点を解決するためになされたもので、コイル状物を包装する作業効率を向上させることができ、合成樹脂製クロスと合成樹脂製シートとの間に隙間が生じるおそれが少なく、合成樹脂製クロスと合成樹脂製シートとが相互に位置ずれするおそれが少ないコイル状物の包装用シートを提供することを課題とする。
【課題を解決するための手段】
【０００６】
本考案は、このような課題を解決するためになされたもので、一方の合成樹脂製シートと他方の合成樹脂製シートとの間に合成樹脂製クロスが介装され、前記一方の合成樹脂製シートの両側端部と他方の合成樹脂製シートの両側端部は、前記合成樹脂製クロスの両側端部よりも延長されて延長部として形成され、少なくとも一方の合成樹脂製シートと合成樹脂製クロスとが貼着されるとともに、前記一方の合成樹脂製シートの延長部と他方の合成樹脂製シートの延長部とが貼着されることにより、前記合成樹脂製クロスが前記一方の合成樹脂製シートと他方の合成樹脂製シートとの間に一体的に挟着されていることを特徴とするコイル状物の包装用シートを提供するものである。
【０００７】
このように、少なくとも一方の合成樹脂製シートと合成樹脂製クロスとが貼着されるとともに、一方の合成樹脂製シートの延長部と他方の合成樹脂製シートの延長部とが貼着されて、合成樹脂製クロスが一方の合成樹脂製シートと他方の合成樹脂製シートとの間に一体的に挟着されているので、単に合成樹脂製クロスが合成樹脂製シートに貼着されただけの従来の包装用シートのように、合成樹脂製クロスと合成樹脂製シートとの間に隙間が生じるおそれが少なく、また合成樹脂製クロスと合成樹脂製シートとが相互に位置ずれするおそれが少なくなる。
【０００８】
また、上記のように合成樹脂製クロスが一方の合成樹脂製シートと他方の合成樹脂製シートとの間に一体的に挟着された包装用シートを用いてコイル状物を包装することができるので、合成樹脂製シートと合成樹脂製クロスとが別々にコイル状物に巻装されることによって包装されていた従来の場合のように、２工程を要することがなく、包装の作業効率が向上することとなる。
【０００９】
本考案の包装用シートにおいては、一方の合成樹脂製シートの内面側が粘着性を有していてもよい。一方の合成樹脂製シートの内面側が粘着性を有していることにより、別途接着剤等を塗布せずに前記一方の合成樹脂製シートと合成樹脂製クロスとが貼着されるとともに、一方の合成樹脂製シートの延長部と他方の合成樹脂製シートの延長部とが貼着されることになる。
【００１０】
また本考案の包装用シートにおいては、他方の合成樹脂製シートの、被包装物であるコイル状物に対面する外面側が粘着性を有していてもよい。かかる他方の合成樹脂製シートの外面側が粘着性を有している場合には、該他方の合成樹脂製シートが被包装物であるコイル状物側に向くようにして、包装用シートでコイル状物を包装することで、粘着性を有する他方の合成樹脂製シートの外面側がコイル状物に接触することとなり、包装用シートがコイル状物から離脱するおそれが少なくなる。
【考案の効果】
【００１１】
以上のように、本考案によって、コイル状物を包装する作業効率を向上させることができ、合成樹脂製クロスと合成樹脂製シートとの間に隙間が生じるおそれが少なく、合成樹脂製クロスと合成樹脂製シートとが相互に位置ずれするおそれが少ないコイル状物の包装用シートを提供することが可能となる。
【図面の簡単な説明】
【００１２】
【図１】一実施形態としての包装用シートの概略平面図。
【図２】図１のI−I線断面図。
【図３】図１のII−II線断面図。
【図４】一方の合成樹脂製シートと他方の合成樹脂製シートの断面図。
【図５】合成樹脂製クロスの部分拡大概略平面図。
【図６】図５のIII−III線断面図。
【図７】コイル状物の外周面を包装用シートで被う状態を示す概略斜視図。
【図８】図７のIV−IV線断面図。
【考案を実施するための形態】
【００１３】
以下、本考案の実施形態について説明する。
【００１４】
本実施形態の包装用シートは、一方の合成樹脂製シートと他方の合成樹脂製シートとの間に合成樹脂製クロスが介装され、前記一方の合成樹脂製シートの両側端部と他方の合成樹脂製シートの両側端部は、前記合成樹脂製クロスの両側端部よりも延長されて延長部として形成され、少なくとも一方の合成樹脂製シートと合成樹脂製クロスとが貼着されるとともに、前記一方の合成樹脂製シートの延長部と他方の合成樹脂製シートの延長部とが貼着されることにより、前記合成樹脂製クロスが前記一方の合成樹脂製シートと他方の合成樹脂製シートとの間に一体的に挟着されているものである。
【００１５】
少なくとも一方の合成樹脂製シートと合成樹脂製クロスとを貼着し、一方の合成樹脂製シートの延長部と他方の合成樹脂製シートの延長部とを貼着する手段としては、たとえば一方の合成樹脂製シートの内面側に粘着性を付与する手段が例示される。一方の合成樹脂製シートの内面側とは、該一方の合成樹脂製シートが他方の合成樹脂製シートと対面する側である。他方の合成樹脂製シートと対面する一方の合成樹脂製シートの内面側が粘着性を有していることにより、一方と他方の合成樹脂製シート間に介装される合成樹脂製クロスと、一方の合成樹脂製シートとが貼着され、また合成樹脂製クロスが存在していない一方の合成樹脂製シートの延長部他方の合成樹脂製シートの延長部とが貼着されることとなる。
【００１６】
ただし、上記一方の合成樹脂製シートと合成樹脂製クロスとを貼着し、一方の合成樹脂製シートの延長部と他方の合成樹脂製シートの延長部とを貼着する手段としては、上記のように一方の合成樹脂製シートの内面側に粘着性を付与する手段に限らず、たとえば接着剤を介して接着するような手段を採用することもでき、また、これ以外の採用することもでき、かかる貼着手段は問うものではない。
【００１７】
また他方の合成樹脂製シートは、好ましくは外面側が粘着性を有している。他方の合成樹脂製シートの外面側とは、該他方の合成樹脂製シートが一方の合成樹脂製シートと対面しない側である。一方の合成樹脂製シートと対面しない他方の合成樹脂製シートの外面側が粘着性を有していることにより、該粘着性を有する他方の合成樹脂製シートの外面側が被包装物であるコイル状物側に向くようにして、包装用シートでコイル状物を包装すると、粘着性を有する他方の合成樹脂製シートの外面側がコイル状物に接触することとなり、包装用シートがコイル状物から離脱するおそれが少なくなる。
【００１８】
一方の合成樹脂製シートの内面側と、他方の合成樹脂製シートの外面側とに粘着性を付与する手段としては、その一方の合成樹脂製シートの内面側と他方の合成樹脂製シートの外面側とに自己粘着層を設ける手段等を採用することができる。
【００１９】
合成樹脂製クロスは、少なくとも一方の合成樹脂製シートと貼着されていればよいが、一方と他方の双方の合成樹脂製シートが合成樹脂製クロスに貼着されていてもよい。
【００２０】
一方の合成樹脂製シートと他方の合成樹脂製シートの材質は特に限定されるものではないが、好ましくはポリエチレンを用いることができる。ポリエチレン以外にポリプロピレンを用いることもでき、また、これらポリエチレン、ポリプロピレン等のポリオレフィン系合成樹脂以外の合成樹脂を用いることもできる。ただし、コスト等の面からはポリエチレンを用いるのが好ましい。一方と他方の合成樹脂製シートは、包装用シートに防水性を付与するものである。
【００２１】
合成樹脂製クロスとしては、たとえば経糸及び緯糸を構成するフラットヤーンやスプリットヤーンを織成して構成されたようなものが用いられる。フラットヤーンやスプリットヤーンを構成する合成樹脂は特に限定されるものではないが、好ましくはポリエチレンを用いることができる。ポリエチレン以外にポリプロピレンを用いることもでき、また、これらポリエチレン、ポリプロピレン等のポリオレフィン系合成樹脂以外の合成樹脂を用いることもできる。ただし、コスト等の面からはポリエチレンを用いるのが好ましい。合成樹脂製クロスは、前記一方の合成樹脂製シートと同じ材質で構成されていることが望ましい。同じ材質で構成されていることによって、一方の合成樹脂製シートと合成樹脂製クロスとの貼着性が良好となる。合成樹脂クロスは、包装用シートの強度を維持させるものである。
【００２２】
本考案の包装用シートの被包装物であるコイル状物としては、金属製の線材を何重にも巻装してコイル状にしたコイル状物や、鉄板を巻装してコイル状にしたコイル状物等が例示される。このような金属製のコイル状物を本考案の包装用シートで包装することによって、金属製のコイル状物における錆の発生等を防止することができる。
【００２３】
以下、本考案のより具体的な実施形態について、図面に従って説明する。
【００２４】
本実施形態の包装用シート１は、図１乃至３に示すように、一方の長尺状の合成樹脂製シート２と、他方の長尺状の合成樹脂製シート３と、該一方の合成樹脂製シート２と他方の合成樹脂製シート３との間に介装着された長尺状の合成樹脂製クロス４とで構成されている。一方の合成樹脂製シート２、他方の合成樹脂製シート３、及び合成樹脂製クロス４は、それぞれポリエチレンで構成されている。
【００２５】
図１及び図２に示すように、一方の合成樹脂製シート２と他方の合成樹脂製シート３とは同幅に形成され、合成樹脂製クロス４は該一方の合成樹脂製シート２と他方の合成樹脂製シート３よりも狭い幅に形成されている。そして、合成樹脂製クロス４よりも幅の広い一方の合成樹脂製シート２と他方の合成樹脂製シート３との両側の延長部５、６において、該一方の合成樹脂製シート２と他方の合成樹脂製シート３とが貼着されている。
【００２６】
図４に示す一方の合成樹脂製シート２の内面側２ａは粘着性を有し、該一方の合成樹脂製シート２の外面側２ｂは粘着性を有していない。また、同図に示す他方の合成樹脂製シート３の内面側３ａは粘着性を有しておらず、該他方の合成樹脂製シート３の外面側３ｂは粘着性を有している。
【００２７】
合成樹脂製クロス４は、図５及び図６に示すように、フラットヤーンからなる経糸７と、フラットヤーンからなる緯糸８とで織成されている。
【００２８】
上記のように、一方の合成樹脂製シート２と他方の合成樹脂製シート３との間に合成樹脂製クロス４が介装着され、合成樹脂製クロス４よりも外側に延長された一方の合成樹脂製シート２と他方の合成樹脂製シート３との延長部５、６において該一方の合成樹脂製シート２と他方の合成樹脂製シート３とが貼着されるとともに、該一方の合成樹脂製シート２と合成樹脂製クロス４とが貼着されることで、前記合成樹脂製クロス４が前記一方の合成樹脂製シート２と他方の合成樹脂製シート３との間に一体的に挟着されている。
【００２９】
この場合、一方の合成樹脂製シート２の内面側２ａは粘着性を有しているので、図２に示すように、合成樹脂製クロス４が存在していない一方の合成樹脂製シート２と他方の合成樹脂製シート３との延長部５、６において、該一方の合成樹脂製シート２と他方の合成樹脂製シート３との相互間が好適に貼着されている。また内面側２ａが粘着性を有していることで、一方の合成樹脂製シート２と合成樹脂製クロス４の相互間も好適に貼着されている。この結果、双方の合成樹脂製シート２、３と合成樹脂製クロス４との相互間のずれが生じるおそれが少なくなり、また合成樹脂製シート２、３と合成樹脂製クロス４との相互間に隙間が生じるおそれも少なくなるのである。
【００３０】
このような構成からなる包装用シート１は、たとえば図７に示すようなコイル状物９の包装用として使用される。より具体的には、粘着性のある他方の合成樹脂製シート３の外面側３ｂを、図８に示すように被包装物であるコイル状物９側に向け、該他方の合成樹脂製シート３の外面側３ｂをコイル状物９の外側面に接触させつつ包装用シート１でコイル状物９を包装する。
【００３１】
包装用シート１は長尺状に形成されているので、コイル状物９の外周面９ａ、一方の側端面９ｂ、内周面９ｃ、他方の側端面９ｄに順次巻回され、これらを繰り返して該包装用シート１を何重にも巻回することで、コイル状物９が密な状態で包装されることとなる。
【００３２】
この場合において、コイル状物９の外側面に接触する他方の合成樹脂製シート３の外面側３ｂは粘着性を有しているので、他方の合成樹脂製シート３の外面側３ｂがコイル状物９の外側面に貼着されることとなり、その結果、包装用シート１がコイル状物９から離脱するおそれが少なくなる。
【００３３】
以上のように、本実施形態の包装用シート１は、一方及び他方の合成樹脂製シート２、３と合成樹脂製クロス４との相互間のずれが生じるおそれが少なく、また合成樹脂製シート２、３と合成樹脂製クロス４との相互間に隙間が生じるおそれが少なく、両合成樹脂製シート２、３間に合成樹脂製クロス４が一体的に挟着された包装用シート１によってコイル状物９を包装することが可能となる。
【００３４】
また、合成樹脂製シートと合成樹脂製クロスとを別々にコイル状物に巻装する従来の方法のように、２工程を要することがないので、包装のための作業効率も良好となる。
【００３５】
尚、上記実施形態では、一方の合成樹脂製シート２の内面側２ａが粘着性を有しており、他方の合成樹脂製シート３の内面側３ａは粘着性を有していないが、他方の合成樹脂製シート３の内面側３ａにも粘着性が付与されていてもよい。
【００３６】
また、上記実施形態では、両合成樹脂製シート２、３及び合成樹脂製クロス４がポリエチレンで構成されていたが、合成樹脂製シート２、３及び合成樹脂製クロス４の材質はポリエチレンに限らず、ポリプロピレンやその他の合成樹脂であってもよい。
【００３７】
さらに、上記実施形態では、合成樹脂製クロス４の経糸７と緯糸８がフラットヤーンで構成されていたが、これに限らずスプリットヤーンで構成されていてもよい。
【符号の説明】
【００３８】
１  包装用シート
２  一方の合成樹脂製シート
３  他方の合成樹脂製シート
４  合成樹脂製クロス
５  延長部
６  延長部
【図１】
0003205369.tif 000003
【図２】
0003205369.tif 000004
【図３】
0003205369.tif 000005
【図４】
0003205369.tif 000006
【図５】
0003205369.tif 000007
【図６】
0003205369.tif 000008
【図７】
0003205369.tif 000009
【図８】
0003205369.tif 000010